(57)【要約】【課題】  可動ユニットを小さな抵抗で固定ユニットに対して摺動することができ、従って両者間の摩耗を少なくすることができる携帯電子機器を提供する。【解決手段】  携帯電話機１０は、本体側の固定ユニット１６と、液晶ディスプレイ等の表示部１８を有し固定ユニット１６の一方の面に沿って相対的に摺動自在に移動する可動ユニット２０とから成っている。可動ユニット弾性保持手段２８は、固定ユニット１６と可動ユニット２０との間に設けられたトーションスプリング２６を含み、このトーションスプリングの可動ユニット２０側の端部は、可動ユニット２０の長孔２０Ｈを貫通する係合ピン３２に掛け止めされ、この係合ピン３２は、固定ユニット１６の摺動面３６に係合し、可動ユニット２０は、このトーションスプリング２６の不安定中間点をそのいずれか一方の保持位置に向けて越えると、その保持位置に移動してその位置に保持される。【選択図】        図７
2005159633.tif 000002
【特許請求の範囲】
【請求項１】
固定ユニットと前記固定ユニットの一方の面に沿って相対的に摺動自在に移動する可動ユニットとから成り、前記固定ユニットと可動ユニットとの間に設けられたトーションスプリングを含み前記トーションスプリングを圧縮しつつ前記可動ユニットを移動して前記トーションスプリングの不安定中間点をそのいずれか一方の保持位置に向けて越えると前記可動ユニットを前記固定ユニットに対して前記いずれか一方の保持位置に移動してその位置に弾性的に保持するようにした可動ユニット弾性保持手段を備えている携帯電子機器において、前記可動ユニット弾性保持手段は、前記トーションスプリングの可動ユニット側の端部で前記固定ユニット側に設けられた摺動面に摺動自在に係合する係合ピンを有することを特徴とする携帯電子機器。
【請求項２】
固定ユニットと前記固定ユニットの一方の面に沿って相対的に摺動自在に移動する可動ユニットとから成り、前記固定ユニットと可動ユニットとの間に設けられたトーションスプリングを含み前記トーションスプリングを圧縮しつつ記可動ユニットを移動して前記トーションスプリングの不安定中間点をそのいずれか一方の保持位置に向けて越えると前記可動ユニットを前記固定ユニットに対して前記いずれか一方の保持位置に移動してその位置に弾性的に保持するようにした可動ユニット弾性保持手段を備えている携帯電子機器において、前記可動ユニットは前記固定ユニットに対して中間位置に保持される中立保持位置と前記中立保持位置と前記中立保持位置から一方の方向に移動して保持される第１の変位保持位置との間と前記中立保持位置と前記中立保持位置から他方の方向に移動して保持される第2の変位保持位置との間とを移動するようになっており、前記可動ユニット弾性保持手段は、前記可動ユニットの前記中立保持位置と前記第１又は第２の変位保持位置との間で前記トーションスプリングの不安定中間点を越えてそのいずれか一方の保持位置に移動してその位置に弾性的に保持し、且つ前記トーションスプリングの可動ユニット側の端部で前記固定ユニット側に設けられた摺動面に摺動自在に係合する係合ピンを有することを特徴とする携帯電子機器。
【請求項３】
請求項１又は２に記載の携帯電子機器であって、前記可動ユニット弾性保持手段は、前記可動ユニットをそれぞれの保持位置にロックするロック部を有することを特徴とする携帯電子機器。
【請求項４】
請求項３に記載の携帯電子機器であって、前記可動ユニット弾性保持手段のロック部は、前記可動ユニットを前記固定ユニット側の摺動面に設けられて前記トーションスプリングの不安定中間点の一方又は他方の保持位置に前記係合ピンが係入して前記可動ユニットをロックするロック凹部から成り、前記可動ユニットは、前記係合ピンのロック凹部への移動を許す長孔を有することを特徴とする携帯電子機器。
【請求項５】
請求項４に記載の携帯電子機器であって、前記固定ユニット側の摺動面のロック凹部は、前記一方の保持位置と他方の保持位置との間が凸となるように山形の傾斜面の両端部分から成っていることを特徴とする携帯電子機器。
【請求項６】
請求項１乃至５のいずれかに記載の携帯電子機器であって、前記トーションスプリングの前記可動ユニット側の端部を支持する係合ピンは、前記固定ユニット側の摺動面に係合する部分に回動ローラを有することを特徴とする携帯電子機器。
【請求項７】
固定ユニットと前記固定ユニットの一方の面に沿って相対的に摺動自在に移動する可動ユニットとから成り、前記可動ユニットは、前記固定ユニットの中間に相対する中立保持位置と前記固定ユニットの中間に対して一方の位置に相対する第１の変位保持位置と前記固定ユニットの中間に対して他方の位置に相対する第２の変位保持位置とを有し、前記固定ユニットと前記可動ユニットとの間に設けられたトーションスプリングを含み前記トーションスプリングを圧縮しつつ前記可動ユニットを前記中立保持位置から第１又は第２の変位保持位置に向けて移動して前記トーションスプリングによって前記第１又は第２の変位保持位置に弾性的に保持するようにした可動ユニット弾性保持手段を備え、前記可動ユニット弾性保持手段は、前記トーションスプリングの可動ユニット側の端部で前記固定ユニット側に設けられた摺動面に摺動自在に係合する係合部を有し、且つ前記摺動面は、前記可動ユニットの前記中立保持位置で前記係合部が係入して前記可動ユニットを前記中立保持位置にロックするロック凹部を有することを特徴とする携帯電子機器。
【請求項８】
請求項７に記載の携帯電子機器であって、前記ロック凹部は、Ｖ字形の凹部から成っていることを特徴とする携帯電子機器。
【請求項９】
請求項６又は７に記載の携帯電子機器であって、前記トーションスプリングの前記可動ユニット側の端部を支持する係合部は、前記固定ユニット側の摺動面に係合する部分に回動ローラを有することを特徴とする携帯電子機器。
【発明の詳細な説明】
【技術分野】
【０００１】
本発明は、携帯電話機、携帯情報端末機の如き携帯電子機器に関し、例えば、蓋を兼ねた可動ユニットを本体機器が収納される固定ユニットに対して摺動自在に移動して蓋を開閉するようにした携帯電子機器の改良に関するものである。
【背景技術】
【０００２】
携帯電話機本体を収納している固定ユニットに対して送話器やキーボタン等を有する可動ユニットを摺動自在に移動することによって伸縮して使用状態と非使用状態とにすることができる携帯電話機が提案されている（特許文献１及び２参照）。
【０００３】
また、送話器と液晶ディスプレイの如き表示部を有する可動ユニットを機器本体を収納するケース本体である固定ユニットに対して上側に摺動自在に移動して固定ユニット上のキーボタンを露出するようにした携帯電話機が提案されている(特許文献３参照)。
【０００４】
これらの摺動式の可動ユニットを有する携帯電話機は、いずれも可動ユニットと固定ユニットとを相対的に案内する案内手段と伸長位置と収縮位置とで可動ユニットをロックするロック手段とを備えているが、いずれの形態でも、単に板ばね(特許文献1参照)やばね付勢されたボールベアリング（特許文献３参照）に抗して可動ユニットを手で移動している。
【０００５】
しかし、これらの従来技術の携帯電話機は、いずれも板ばねの反り力やコイルばねの伸縮力に抗して可動ユニットを移動しているにすぎないので、可動ユニットの頻繁な伸縮によってばね力が弱まると、可動ユニットが固定ユニットに対して位置保持される力が弱まって可動ユニットを固定ユニットに対して位置保持することができなくなる虞がある。
【０００６】
一方、最近、携帯電話機のマイクロフォンユニットを本体ユニットに対して出し入れ自在にし、このマイクロフォンユニットの出し入れをマイクロフォンユニットと本体ユニットとの間に固定されたトーションスプリングの圧縮状態の不安定中間位置を僅かでも越えると、マイクロフォンの伸長位置か収縮位置かのいずれかの位置に急速に移動してマイクロフォンユニットの伸長状態と収縮状態とのいずれかに位置保持するようにした携帯電話機が提案されている（特許文献４参照）。
【０００７】
この携帯電話機において、マイクロフォンユニットは、トーションスプリングの不安定中間位置から安定位置への強い作用力によって伸長位置と収縮位置とに確実に保持されるが、マイクロフォンユニットが本体ユニットに係合する部分の全面にばね力が作用するので、マイクロフォンユニットを伸縮する際にマイクロフォンユニットに掛けるべき力が大きくなければならないので、操作性が低く、またマイクロフォンユニットと本体ユニットとの係合部分で摩耗が激しく、この摩耗が進行すると、マイクロフォンユニットと本体ユニットとの間に発生する隙間によってがたつきが生じ、マイクロフォンユニットの伸縮動作を円滑に行うことができなくなる虞があった。
【０００８】
最近の携帯電話機は、通信機能及びそれに付随する種々の機能を付加しており、例えば、デジタルカメラを搭載したものが普及しているが、これらの複合機能を有する携帯電子機器において、蓋の如き可動ユニットを上方だけではなく、下方にも移動して機器本体である固定ユニットの上下の異なる機能を有する部分を隠蔽したり露出したりすることが要求されているが、従来技術の可動ユニットは一方向に移動することができるだけであり、このような要求に対応することができなかった。
【０００９】
【特許文献１】特開平４−２７３７４４号公報
【特許文献２】特開平５−２４４２３８号公報
【特許文献３】特開２００３−２３４８０９号公報
【特許文献４】特表２００１−５２０８５０号公報
【発明の開示】
【発明が解決しようとする課題】
【００１０】
本発明が解決しようとする１つの課題は、可動ユニットの頻繁な移動に拘わらず可動ユニットを固定ユニットに対して確実に保持することができる可動ユニット摺動式の携帯電子機器を提供することにある。
【００１１】
本発明が解決しようとする他の課題は、可動ユニットを小さな抵抗で固定ユニットに対して摺動することができ、従って両者間の摩耗を少なくすることができる携帯電子機器を提供することにある。
【００１２】
本発明が解決しようとする更に他の課題は、可動ユニットを一方向だけではなく、上下の両方向にも移動することができるようにして機器の多様な機能に対応することができる携帯電子機器を提供することにある。
【課題を解決するための手段】
【００１３】
本発明の第１の基本的な課題解決手段は、固定ユニットとこの固定ユニットの一方の面に沿って相対的に摺動自在に移動する可動ユニットとから成り、固定ユニットと可動ユニットとの間に設けられたトーションスプリングを含みこのトーションスプリングを圧縮しつつ可動ユニットを移動してトーションスプリングの不安定中間点をそのいずれか一方の保持位置に向けて僅かでも越えると可動ユニットを固定ユニットに対していずれか一方の保持位置に急速に移動してその位置に弾性的に保持するようにした可動ユニット弾性保持手段を備えている携帯電子機器において、可動ユニット弾性保持手段は、トーションスプリングの可動ユニット側の端部で固定ユニット側に設けられた摺動面に摺動自在に係合する係合ピンを有することを特徴とする携帯電子機器を提供することにある。
【００１４】
本発明の第２の基本的な課題解決手段は、固定ユニットとこの固定ユニットの一方の面に沿って相対的に摺動自在に移動する可動ユニットとから成り、固定ユニットと可動ユニットとの間に設けられたトーションスプリングを含みこのトーションスプリングを圧縮しつつ可動ユニットを移動してトーションスプリングの不安定中間点をそのいずれか一方の保持位置に向けて僅かでも越えると可動ユニットを固定ユニットに対していずれか一方の保持位置に急速に移動してその位置にばね保持するようにした可動ユニット弾性保持手段を備えている携帯電子機器において、可動ユニットは固定ユニットに対して中間位置に保持される中立保持位置とこの中立保持位置とこの中立保持位置から一方の方向に移動して保持される第１の変位保持位置との間と中立保持位置とこの中立保持位置から他方の方向に移動して保持される第２の変位保持位置との間とを移動するようになっており、可動ユニット弾性保持手段は、可動ユニットの中立保持位置と第１又は第２の変位保持位置との間でトーションスプリングの不安定中間点を越えてそのいずれか一方の保持位置に急速に移動してその位置に弾性的に保持し、且つトーションスプリングの可動ユニット側の端部で固定ユニット側に設けられた摺動面に摺動自在に係合する係合ピンを有することを特徴とする携帯電子機器を提供することにある。
【００１５】
本発明の第１及び第２の基本的な課題解決手段において、可動ユニット弾性保持手段は、可動ユニットをそれぞれの保持位置にロックするロック部を有するのが好ましい。この可動ユニット弾性保持手段のロック部は、固定ユニット側の摺動面に設けられてトーションスプリングの不安定中間点の一方又は他方の保持位置に係合ピンが係入して可動ユニットをロックするロック凹部から成り、可動ユニットは、係合ピンのロック凹部への移動を許す長孔を有する形態とすることができる。この場合、固定ユニット側の摺動面のロック凹部は、一方の保持位置と他方の保持位置との間が凸となるように山形の傾斜面の両端部分から成っていてもよい。
【００１６】
また、本発明の第１及び第２の基本的な課題解決手段において、トーションスプリングの可動ユニット側の端部を支持する係合ピンは、固定ユニット側の摺動面に係合する部分に回動ローラを有するのが好ましい。
【００１７】
本発明の第３の基本的な課題解決手段は、固定ユニットとこの固定ユニットの一方の面に沿って相対的に摺動自在に移動する可動ユニットとから成り、可動ユニットは、固定ユニットの中間に相対する中立保持位置と固定ユニットの中間に対して一方の位置に相対する第１の変位保持位置と固定ユニットの中間に対して他方の位置に相対する第２の変位保持位置とを有し、固定ユニットと可動ユニットとの間に設けられたトーションスプリングを含みこのトーションスプリングを圧縮しつつ可動ユニットを中立保持位置から第１又は第２の変位保持位置に向けて移動してトーションスプリングによって第１又は第２の変位保持位置に弾性的に保持するようにした可動ユニット弾性保持手段を備え、この可動ユニット弾性保持手段は、トーションスプリングの可動ユニット側の端部で固定ユニット側に設けられた摺動面に摺動自在に係合する係合部を有し、且つ摺動面は、可動ユニットの中立保持位置で係合部が係入して可動ユニットを前記中立保持位置にロックするロック凹部を有することを特徴とする携帯電子機器を提供することにある。
【００１８】
本発明の第３の課題解決手段において、ロック凹部は、Ｖ字形の凹部とすることができ、またトーションスプリングの可動ユニット側の端部を支持する係合部は、固定ユニット側の摺動面に係合する部分に回動ローラを有するのが好ましい。
【発明の効果】
【００１９】
本発明によれば、固定ユニットと可動ユニットとの間に設けられたトーションスプリングを圧縮しつつ可動ユニットを移動してトーションスプリングの不安定中間点をそのいずれか一方の保持位置に向けて僅かでも越えると可動ユニットを固定ユニットに対していずれか一方の保持位置に急速に移動してその位置に弾性的に保持するようにするので、特許文献１、３に開示されているように、板ばねの反り力やコイルばねの伸縮によるばね付勢に抗して可動ユニットを移動する従来技術のように、可動ユニットの頻繁な伸縮によって可動ユニットが固定ユニットに対して位置保持される力が弱まって可動ユニットを固定ユニットに対して位置保持することができなくなることはなく、可動ユニットの頻繁な移動に拘わらず可動ユニットを固定ユニットに対して確実に保持することができる。
【００２０】
トーションスプリングの可動ユニット側の端部は、可動ユニットに直接固定するのではなく、可動ユニットを貫通して支持される係合ピンに固定してこの係合ピンを固定ユニット側に設けられた摺動面に摺動自在に係合しているので、特許文献４の従来技術のように、可動ユニットが固定ユニットに大きな係合面で摩擦接触する場合に比べて抵抗が小さく、従って両者間の摩耗を少なくすることができ、両ユニット間にがたつきが生ずることがない。
【００２１】
係合ピンが摺動面に係合する回動ローラを有すると、摺動面と係合ピンとの摺動が一層円滑に行われて、可動ユニットの操作性を一層向上することができる。
【００２２】
可動ユニットの保持位置で係合ピンが係入するロック凹部は、係合ピンをロックする作用を有するので、可動ユニットを確実に所定の保持位置に保持し、特に、このロック凹部が傾斜面を含む部分から成っていると、可動ユニットの初期移動操作を小さな力で開始して始動操作性を向上することができる。
【００２３】
また、可動ユニットは、一方向だけではなく、上下の両方向にも移動することができるようにして多様な機能を有する電子機器に好適に利用することができ、この場合、トーションスプリングは、可動ユニットの中立保持位置に弾性的に保持するために、固定ユニット側に設けられた摺動面にトーションスプリングの可動ユニット側の端部の係合部を係合させて可動ユニットの中立保持位置でこの係合部をロックするロック凹部を摺動面に設けたので、トーションスプリングがコン中立保持位置で不安定になることはなく、従って可動ユニットの３つの保持位置を確実に維持することができる。
【発明を実施するための最良の形態】
【００２４】
本発明の実施の形態を図面を参照して詳細に述べると、図１乃至図６は、本発明を携帯電話機１０に適用した例を示すが、本発明は、携帯電話機以外に、携帯情報端末機やその他の種々の単純機能、複合機能を有する携帯電子機器にも適用することができる。
【００２５】
携帯電話機１０は、キーボタン１２(図３参照)を下方に有し、カメラのレンズ１４(図５参照)を上方に有し、内部に電話機本体部分が収納された固定ユニット１６と、液晶ディスプレイの如き表示部１８を有する可動ユニット２０とから成っており、図４及び図６から解るように、可動ユニット２０は、固定ユニット１６の上面に沿って相対的に摺動自在に移動することができるが、図示の形態では、これらのユニット１６、２０は、その相対する上下の面が弓なりに湾曲しており、これらのユニット１６、２０は、可動ユニット２０が固定ユニット１６に対してこの弓なりの面に沿って摺動するように結合されている。なお、図示しない送話器は、固定ユニット１６のキーボタン１２の下側に配置され、また図示しない受話器は、可動ユニット２０の表示部１８の上側に配置されている。
【００２６】
本発明の携帯電話機１０の可動ユニット２０は、固定ユニット１６に対して中間位置に保持される中立保持位置Ｐｎ(図１、図２及び図７の位置)と、この中立保持位置Ｐｎから上方(一方の方向)に移動して保持される第１の変位保持位置Ｐ１(図３、図４及び図８の位置)と、中立保持位置Ｐｎから下方（他方の方向）に移動して保持される第２の変位保持位置Ｐ２(図５、図６及び図９の位置)とを有し、可動ユニット２０は、中立保持位置Ｐｎと第１の変位保持位置Ｐ１との間と中立保持位置Ｐｎと第２の変位保持位置Ｐ２との間とを移動することができるようになっている。
【００２７】
中立保持位置Ｐｎは、図１、図２及び図７に示すように、可動ユニット２０が固定ユニット１６の上面の全体を覆って固定ユニット１６を隠蔽する位置であり、第１の変位保持位置Ｐ１は、図３、図４及び図８に示すように、可動ユニット２０が上方に固定ユニット１６の下方部分にあるキーボタン１２を露出している位置であり、また第２の変位保持位置Ｐ２は、図５、図６及び図９に示すように、可動ユニット２０が固定ユニット１６の上方部分にあるカメラ１４を露出している位置である。
【００２８】
１対のスライダ２４、２４’が固定ユニット１６と可動ユニット２０との間に配置され、これらのスライダ２４、２４’は、図１４に示すように、固定ユニット１６の両側壁に設けられた案内溝１６Ｇに係入する突条２４Ｓ、２４’Ｓと可動ユニット２０の両側壁に設けられた案内溝２０Ｇに係入する突条２４Ｍ、２４’Ｍとを有する。従って、可動ユニット２０は、これらのスライダ２４、２４’と共に昇降することができる。なお、図１乃至図６では、説明の便宜上、これらのスライダ２４、２４’を省略している。
【００２９】
図８及び図１３に示すように、スライダ２４、２４’の固定ユニット１６側の突条２４Ｓ、２４’Ｓは、固定ユニット１６の案内溝１６Ｇの上面である上部ストッパ１６ＵＳ（図１２参照）と下面である下部ストッパ１６ＬＳ（図１２参照）との間を移動することができ、またスライダ２４、２４’の可動ユニット２０側の突条２４Ｍ、２４’Ｍは、可動ユニット２０の案内溝２０Ｇの上面である上部ストッパ２０ＵＳと下面である下部ストッパ２０ＬＳとの間を移動することができる。
【００３０】
これらの１対のスライダ２４、２４’は、可動ユニット２０の中立保持位置Ｐｎと第１の変位保持位置（上昇位置）Ｐ１との間では、図７及び図８に示すように、可動ユニット２０の下部ストッパ２０ＬＳに係合しており、また可動ユニット２０の第１の変位保持位置（上昇位置）では、固定ユニット１６の上部ストッパ１６ＵＳに係合している。
【００３１】
更に、１対のスライダ２４、２４’は、可動ユニット２０の中立保持位置Ｐｎから第２の変位保持位置（下降位置）Ｐ２に変位するにつれて可動ユニット２０の下部ストッパ２０ＬＳから相対的に上方に離れ、第２の変位保持位置Ｐ２では固定ユニット１６側の下部ストッパ１６ＬＳに係合し、また可動ユニット２０の上部ストッパＵＳに係合している。
【００３２】
本発明の携帯電話機１０は、固定ユニット１６と可動ユニット２０との間に設けられ固定ユニット１６のへこみ１７内に配置された巻きばねの形態のトーションスプリング２６を含み、このトーションスプリング２６によって可動ユニット２０を固定ユニット１６に対して上記の３つの位置のいずれかに保持する可動ユニット弾性保持手段２８を備えている。
【００３３】
図７乃至図９に示すように、トーションスプリング２６の一端２６Ｍは、固定ユニット１６のへこみ１７の一側で上下方向のほぼ中間位置に取付けられた固定ピン３０に掛け止めされ、トーションスプリング２６の他端２６Ｓは、可動ユニット２０の長孔２０Ｈを貫通して支持された係合部、例えば、係合ピン３２に掛け止めされ、この係合ピン３２は、固定ユニット１６のへこみ１７の摺動面３６に係合している。
【００３４】
図示の形態では、係合ピン３２は、摺動面３４に係合する部分にゴムその他の耐摩耗性を有する材料から作られた回動ローラ３４を有し、従って係合ピン３２は、この回動ローラ３４が摺動面３６上を転動しながら小さな抵抗で摺動面３６に沿って移動することができる。
【００３５】
摺動面３６は、トーションスプリング２６の一端２６Ｓが固定される側と反対側のへこみ内周面に形成され、この摺動面３６は、ほぼ垂直の面部分の中間でトーションスプリング２６の端部２６Ｓにほぼ水平方向に相対してこの端部から最も離れた位置となるように設けられて係合ピン３２が係入するＶ字形の中立保持位置用ロック凹部３８と、垂直面部分の上下の端部に設けられて係合ピン３２が係入する変位保持位置用ロック凹部４０、４２とを有する。これらのロック凹部３８、４０、４２は、可動ユニット弾性保持手段２８のロック部４３を構成している。
【００３６】
可動ユニット２０が固定ユニット１６に対して中立保持位置Ｐｎにある時は、係合ピン３２は、中立保持位置用ロック凹部３８に係入し、可動ユニット２０が固定ユニット１６に対して第１の変位保持位置Ｐ１にある時は、係合ピン３２は、第１の変位保持位置用ロック凹部４０に係入し、また可動ユニット２０が固定ユニット１６に対して第２の変位保持位置Ｐ２にある時は、係合ピン３２は、第２の変位保持位置用ロック凹部４２に係入して、可動ユニット２０をこれらの保持位置Ｐｎ、Ｐ１及びＰ２にそれぞれ弾性的に保持している。
【００３７】
この可動ユニット弾性保持手段２８は、トーションスプリング２６を圧縮しつつ可動ユニット２０を移動してトーションスプリング２６の不安定中立点をそのいずれか一方の保持位置に向けて僅かでも越えると可動ユニット２０を固定ユニット１６に対していずれか一方の保持位置に急速に移動してその位置に弾性的に保持するように機能するが、その詳細を図１０及び図１１を参照して以下に述べる。
【００３８】
可動ユニット２０又はスライ２４、２４’を固定ユニット１６に対して図１、図２及び図７の中立保持位置Ｐｎから指で上方の位置に押し上げるように移動すると、トーションスプリング２６の端部２６Ｍが掛け止めされている係合ピン３２は、トーションスプリング２６を圧縮しつつ可動ユニット２０の長孔２０Ｈに沿って図１０の右方に寄せられながら摺動面３６の上方傾斜面３６Ｕに沿って上昇する。このとき、係合ピン３２が摺動面３６の上方傾斜面３６Ｕに作用するばね力は、図１０のベクトルに示す通り、斜め上向きとなる。しかし、このばね力は、まだ上方傾斜面３６Ｕの下向きの成分を含んでいるので、可動ユニット２０又はスライダ２４、２４’から指を離すと、元の中立保持位置Ｐｎに戻る。
【００３９】
可動ユニット２０又はスライ２４、２４’を図１０の位置から更に上向きに移動し、上方傾斜面３６Ｕと垂直面部分との境界である角部３６ＵＡでトーションスプリング２６が最も圧縮される不安定中間点を僅かでも越える図１１の位置に達すると、摺動面３６に図１１のベクトルに示す通り、その合成ばね力は、下向きの成分を含まない斜め上向きとなるので、可動ユニット２０又はスライダ２４、２４’から指を離しても可動ユニット２０は、第１の変位保持位置Ｐ１に向けて急速に移動し、係合ピン３２がこの第１の変位保持位置用ロック凹部４０に係入してこの第１の変位保持位置Ｐ１に弾性的に保持される。
【００４０】
逆に、可動ユニット２０又はスライ２４、２４’を固定ユニット１６に対して図１、図２及び図７の中立保持位置Ｐｎから指で下方の位置に押し下げるように移動すると、係合ピン３２が下方傾斜面３６Ｌに係合している間は指を離すと、可動ユニット２０が元の中立保持位置Ｐｎに戻ろうとするが、不安定中間点である下方角部３６ＬＡを僅かでも越えると、可動ユニット２０又はスライダ２４、２４’から指を離しても可動ユニット２０は、第２の変位保持位置Ｐ２に向けて急速に移動し、係合ピン３２がこの第２の変位保持位置用ロック凹部４２に係入してこの第２の変位保持位置Ｐ２に弾性的に保持される。
【００４１】
図７乃至図１４の形態では、係合ピン３２が係入して可動ユニット２０を第１又は第２の変位保持位置Ｐ１又はＰ２にロックするためのロック凹部４０、４２が摺動面３６の上下に設けられている半円形のくぼみから成っているが、図１５に示すように、摺動面３６の垂直面部分を上下に外向き（トーションスプリング２６の端部２６Ｓが掛け止めされている部分とは反対側の向き）に傾斜させてこの傾斜面３６Ｕ’の上端から成っていてもよい。これは、丁度ロック凹部３８、４０又は３８、４２が中立保持位置Ｐｎと第１又は第２の変位保持位置Ｐ１又はＰ２との間が凸となるように形成された山形の傾斜面３６Ｕ、３６Ｕ’又は３６Ｌ、３６Ｌ’の両端部分から成っていることを意味する。
【００４２】
上記の実施の形態で注目すべきことは、固定ユニット１６と可動ユニット２０との間に掛け渡されたトーションスプリング２６の可動ユニット２０側の端部が可動ユニット２０に直接固定されているのではなく、この可動ユニット２０を貫通して支持されて固定ユニット１６側の摺動面３６に係合する係合ピン３２に掛け止めされていることである。このため、トーションスプリング２６の力は、可動ユニット２０全体を固定ユニット１６に押し付ける力として働くことがなく、係合ピン３２を介して小さな面積で摺動面３６に作用するだけであり、従って可動ユニット２０を固定ユニット１６に対して小さな力で移動させることができ、また摺動部分の摩耗も少なく、寿命を延ばすことができる。
【００４３】
本発明の他の実施の形態が図１６及び図１７に示されており、この実施の形態では、可動ユニット２０は、固定ユニット１６に対して対面して重合した下降保持位置（図１乃至図１５の中立保持位置Ｐｎに相応）Ｐｄと固定ユニット１６の対面状態から上方に移動して固定ユニット１６を開く上昇保持位置（図１乃至図１５の第１の変位保持位置Ｐ１に相応）Ｐｕとを有する。この実施の形態では、係合ピン３２が係合する摺動面３６は、全長に亘ってほぼ垂直な面部分から成り、下降保持位置Ｐｄと上昇保持位置Ｐｕとに相応して半球形のロック凹部３８、４０を有することを除いて図１乃至図１５の実施の形態と実質的に同じであり、同じ部分には同じ符号を付している。この実施の形態は、先の実施の形態が有するカメラを備えていない携帯電話機等に適用するのに有利である。
【００４４】
この実施の形態でも、可動ユニット２０を図７の下降保持位置Ｐｄから指で押し上げると、係合ピン３２は、トーションスプリング２６を圧縮しながら長孔２０Ｈに沿って横移動しつつ垂直の摺動面３６に沿って上昇し、トーションスプリング２６が最も圧縮された不安定中間点（ベクトルの合成力が下向きと上向きとの作用が分岐する点）を僅かでも越えると、急速に上昇保持位置に向けて移動し、係合ピン３２がロック凹部４０に係入して可動ユニット２０は、この上昇保持位置Ｐｕに保持される。可動ユニット３０を上昇保持位置Ｐｕから指で下方に押し下げると、同様にしてトーションスプリング２６の不安定中間点を僅かでも越えると、可動ユニット２０急速に下降し、係合ピン３２がロック凹部３８に係入して可動ユニット２０がこの位置に保持される。
【００４５】
図１６及び図１７の実施の形態でも、図１乃至図１５の実施の形態と同様に、トーションスプリング２６の可動ユニット側の端部２６Ｍは、可動ユニット２０に直接固定するのではなく、可動ユニット２０を貫通する係合ピン３２に固定してこの係合ピン３２を固定ユニット１６側に設けられた摺動面３６に摺動自在に係合しているので、可動ユニット２０を移動する際の抵抗が小さく、操作を小さな力で円滑に行うことができ、また両者間の摩耗を少なくして寿命を延長することができる。
【００４６】
なお、上記の実施の形態では、可動ユニット弾性保持手段２８のロック部は、摺動面３６に設けられたロック凹部３８、４０、４２，４０’、４２’から成っているが、例えば、固定ユニット１６と可動ユニット２０との間で可動ユニット２０がそれぞれの保持位置Ｐｎ、Ｐ１、Ｐ２、Ｐｄ、Ｐｕで固定ユニット１６にロックされるようなストッパを設けてこれらのストッパがロック部を構成するようにしてもよい。
【００４７】
また、上記実施の形態では、携帯電話機に使用するのに便宜にするために、可動ユニット２０は、固定ユニット１６に対して弓なりに移動するようにしているが、機能上支障がなければ、水平移動するようにしてもよいことはもちろんである。また、固定ユニット１６の摺動面に係合する係合部は、図示の形態では、トーションスプリング２６の端部２６Ｍが巻き付けられてこのトーションスプリング２６に取付けられた係合ピン３２から成っているが、トーションスプリング２６自体の端部を折り曲げてこの折り曲げ部自体を係合部とする等適宜の形態とすることができる。
【産業上の利用可能性】
【００４８】
本発明は、可動ユニットを固定ユニットに対して頻繁に移動しても、ばね力が弱まることなく、可動ユニットを固定ユニットに対して確実に位置保持することができ、また可動ユニットと固定ユニットとの間の抵抗が小さく、指等の小さな力で可動ユニットを円滑に移動することができ、操作性を向上することができ、特に可動ユニットは、上下の両方向にも移動することができるようにしているので、多様な機能を有する携帯電子機器に好適に利用することができる。
【図面の簡単な説明】
【００４９】
【図１】本発明が適用された携帯電話機の非使用状態の正面図である。
【図２】図１の携帯電話機の側面図である。
【図３】図１の携帯電話機の電話送受信の使用状態の正面図である。
【図４】図３の携帯電話機の側面図である。
【図５】図１の携帯電話機のカメラの使用状態の正面図である。
【図６】図５の携帯電話機の側面図である。
【図７】携帯電話機の可動ユニット弾性保持手段が可動ユニットを中立保持位置に保持している状態の斜視図である。
【図８】携帯電話機の可動ユニット弾性保持手段が可動ユニットを第１の変位保持位置に保持している状態の斜視図である。
【図９】携帯電話機の可動ユニット弾性保持手段が可動ユニットを第２の変位保持位置に保持している状態の斜視図である。
【図１０】携帯電話機の可動ユニット弾性保持手段が可動ユニットを図７の中立保持位置から図８の第１の変位保持位置に移動し始めた時のトーションスプリングによって係合ピンが摺動面に作用する力のベクトル図である。
【図１１】可動ユニットが図１０の位置から更に第１の変位保持位置に移動して不安定中間位置を越えた時のトーションスプリングによって係合ピンが摺動面に作用する力のベクトル図である。
【図１２】本発明に用いられる固定ユニットの分解斜視図である。
【図１３】本発明に用いられる可動ユニットの分解斜視図である。
【図１４】図７のＸＩＶ−ＸＩＶ線断面図である。
【図１５】固定ユニット側の摺動面の変形例を示す正面図である。
【図１６】本発明の異なる形態の携帯電話機の非使用状態における可動ユニット弾性保持手段の斜視図である。
【図１７】図１６の携帯電話機の使用状態における可動ユニット弾性保持手段の斜視図である。
【符号の説明】
【００５０】
１０  携帯電子機器
１２  キーボタン
１４  カメラ
１６  固定ユニット
１６Ｇ  案内溝
１６ＵＳ  上部ストッパ
１６ＬＳ  下部ストッパ
１８  表示部
２０  可動ユニット
２０Ｇ  案内溝
２０Ｈ  長孔
２０ＵＳ  上部ストッパ
２０ＬＳ  下部ストッパ
２４、２４’  スライダ
２６  トーションスプリング
２６Ｓ、２６Ｍ  トーションスプリングの端部
２８  可動ユニット弾性保持手段
３０  固定ピン
３２  係合ピン
３４  回動ローラ
３６  摺動面
３８  中立保持位置用ロック凹部
４０、４２  第１及び第２の変位保持位置用ロック凹部
３８’、４０’  ロック凹部
【図１】
2005159633.tif 000003
【図２】
2005159633.tif 000004
【図３】
2005159633.tif 000005
【図４】
2005159633.tif 000006
【図５】
2005159633.tif 000007
【図６】
2005159633.tif 000008
【図７】
2005159633.tif 000009
【図８】
2005159633.tif 000010
【図９】
2005159633.tif 000011
【図１０】
2005159633.tif 000012
【図１１】
2005159633.tif 000013
【図１２】
2005159633.tif 000014
【図１３】
2005159633.tif 000015
【図１４】
2005159633.tif 000016
【図１５】
2005159633.tif 000017
【図１６】
2005159633.tif 000018
【図１７】
2005159633.tif 000019